(57)【要約】【課題】浴槽への出入りをスムーズ且つ容易に行うことができ、浴槽内の入浴スペースを充分に確保できる浴槽又はこの浴槽を備えた浴室を提供する。【解決手段】浴槽本体３のフランジ４の洗い場１５側のコーナー部９の上面に回動自在な回動座部１２を設ける。【選択図】図１
2008289813.tif 000002
【特許請求の範囲】
【請求項１】
浴槽本体のフランジの洗い場側のコーナー部の上面に回動自在な回動座部を設けて成ることを特徴とする浴槽。
【請求項２】
前記回動座部がフランジに対して着脱自在であることを特徴とする請求項１に記載の浴槽。
【請求項３】
上記請求項１又は請求項２の浴槽を有する浴室であって、前記フランジの回動座部を設けたコーナー部に隣接する浴室壁に回動座部よりも上方に位置して回動座部に座った入浴者が把持可能な把持部を設けて成ることを特徴とする浴室。
【発明の詳細な説明】
【技術分野】
【０００１】
本発明は浴槽及びこれを備えた浴室に関する。
【背景技術】
【０００２】
一般的に入浴者が浴槽から出入りするには洗い場側の浴槽壁を跨いで乗り越えるという動作を行うが、この動作は高齢者や身体障害者にとっては大きな負担となり、また、浴槽壁が高い場合には一般の入浴者にとっても難しいものである。このため例えば浴槽に入る場合には、洗い場側を向いて洗い場側に両脚を位置させた状態で浴槽のフランジに腰掛け、この後、浴槽壁を跨ぎつつ臀部をフランジ上を滑らせながら体を浴槽側に向け、これにより両脚を浴槽側に移動して浴槽に入ることがある。しかし、このような動作はフランジに対して臀部を滑らせながら体の向きを変える必要があり、特にフランジに対して臀部をターンさせることがスムーズにできないという問題がある。
【０００３】
また、例えば特許文献１の浴槽には、浴槽内に昇降装置を設置し、該昇降装置の上面に入浴者が座ることができる座部を回動自在に設けてあるが、このものは浴槽内に昇降装置を設置する必要があって浴槽の入浴スペースが狭くなり、また座部が洗い場から遠く離れているため洗い場に居る人が座部に座るために移動する必要があり、また座部に腰掛けた人が洗い場側に移動し難いという問題がある。
【特許文献１】特開平１１−７６３５５号公報
【発明の開示】
【発明が解決しようとする課題】
【０００４】
本発明は上記従来の問題点に鑑みて発明したものであって、浴槽への出入りをスムーズ且つ容易に行うことができ、浴槽内の入浴スペースを充分に確保できる浴槽又はこの浴槽を備えた浴室を提供することを課題とするものである。
【課題を解決するための手段】
【０００５】
上記課題を解決するために本発明の請求項１に係る浴槽は、浴槽本体３のフランジ４の洗い場１５側のコーナー部９の上面に回動自在な回動座部１２を設けて成ることを特徴とする。この構成により、浴槽２から出入りする場合には、回動座部１２上に腰掛け、この後、回動座部１２を臀部と共に回動して体の向きを変えることができる。また、この回動座部１２は浴槽本体３の洗い場１５側に位置するフランジ４のコーナー部９の上面に設けているので、洗い場１５に居る人は洗い場１５から近い位置にある回動座部１２に容易に座ることができ、また回動座部１２に座った人が洗い場側に容易に移動できる。
【０００６】
また、請求項２は請求項１において、前記回動座部１２がフランジ４に対して着脱自在であることを特徴とする。回動座部１２を使用しない時にフランジ４から回動座部１２を取り外すことができる。
【０００７】
また、請求項３に係る浴室は、上記請求項１又は請求項２の浴槽２を有する浴室１であって、前記フランジ４の回動座部１２を設けたコーナー部９に隣接する浴室壁５ａに回動座部１２よりも上方に位置して回動座部１２に座った人が把持可能な把持部１４を設けて成ることを特徴とする。回動座部１２に座った人が把持部を把持でき、上記のように浴槽２から出入りする際に入浴者１３が把持部１４を把持して姿勢を安定させることができる。
【発明の効果】
【０００８】
請求項１に係る発明では、浴槽から出入りする場合には、回動座部上に腰掛け、この後、回動座部を臀部と共に回動して体の向きを変えることができ、また、洗い場に居る人は洗い場から近い位置にある回動座部に容易に座ることができ、また回動座部に座った人が洗い場側に容易に移動でき、これらによりスムーズ且つ容易に浴槽から出入りできる。また、浴槽本体内には入浴者を支持するものを配置する必要がないので、浴槽本体内の入浴スペースを確保できる。また、背景技術の欄で示した昇降装置のような入浴者を支持するものを配置する必要がなく、浴槽本体内の入浴スペースを充分に確保できる。また浴槽壁を跨いで乗り越える入浴者にとって邪魔にならない位置に回動座部を配置できる。
【０００９】
また請求項２に係る発明では、請求項１に係る発明の効果に加えて、回動座部を使用しない時にフランジから回動座部を取り外すことができて邪魔にならない。
【００１０】
また請求項３に係る発明では、請求項１又は請求項２に係る発明の効果に加えて、浴槽から出入りする際に入浴者が把持部を把持して姿勢を安定させることができる。
【発明を実施するための最良の形態】
【００１１】
以下、本発明を添付図面に示す実施形態に基づいて説明する。図１は本発明の実施の形態の一例の浴槽２を備えた浴室１の内部の斜視図である。
【００１２】
浴槽２の主体を構成する浴槽本体３は従来の一般的な浴槽と同様のものであり、浴槽本体３の上端部には浴槽本体３の全周に亘ってフランジ４を設けている。フランジ４の外周縁は平面視矩形状に形成してあり、浴槽本体３はフランジ４の外周縁の洗い場１５側を除く３辺を３方の浴室壁５に隣接させた状態で設置されている。浴槽本体３の上端開口の周縁をなすフランジ４の内周縁６は、四方の直線縁７と、直線縁７間を滑らかに接続する弧状縁８とで構成してあり、フランジ４の各コーナー部９の幅はコーナー部９間の直線部１０の幅よりも広くなっている。
【００１３】
上記フランジ４の平面視で洗い場１５側の一方に位置するコーナー部９の上面中央には上方に向けて支持軸１１を突設している。このコーナー部９の上方には円盤状の回動座部１２を配置してあり、回動座部１２の中心には下方から上記支持軸１１を回動自在に挿入してあり、該支持軸１１により回動座部１２はフランジ４の上面と平行な水平面内で回動自在に支持されている。回動座部１２の上面は略水平な臀部載置面となり、入浴者１３は例えば図１の想像線で示すように浴槽２から出入りする際に回動座部１２上に臀部を載置して腰掛けることができる。
【００１４】
上記回動座部１２は支持軸１１に対して着脱自在としてある。従って回動座部１２を使用しない場合には、フランジ４から回動座部１２を取り外すことができて邪魔にならず、また、フランジ４の上面の略全体に亘って風呂蓋の外周部を載置でき、浴槽本体３内を保温できる。
【００１５】
また、上記フランジ４の回動座部１２を設けたコーナー部９に隣接する浴室壁５ａには、回動座部１２に座った人が把持可能な把持部１４として、上下両端部を浴室壁５ａに接続した上下に長い握りバー１４ａを設けている。握りバー１４ａは回動座部１２に座った人が把持しやすい位置、即ち回動座部１２の近傍で且つ回動座部１２よりも上方の位置に配置してある。また、握りバー１４ａはフランジ４よりもやや洗い場１５側に配置してあり、洗い場１５に居る人や洗い場１５側に脚を置いて回動座部１２に座った人にとって把持しやすい位置にある。なお、本例では握りバー１４ａの全体を回動座部１２よりも上方に配置したが、例えば握りバー１４ａの上部のみが回動座部１２よりも上方に位置し且つ下部が回動座部１２やフランジ４よりも下方に位置するように設けても良く、即ち、少なくとも回動座部１２よりも上方の位置に回動座部１２に座った人が把持可能な把持部１４を設けてあれば良い。
【００１６】
上記本例の浴槽２は浴槽本体３のフランジ４の洗い場１５側のコーナー部９の上面に回動自在な回動座部１２を設けているので、高齢者などの体の不自由な人でも簡単に浴槽２から出入りすることができる。即ち、回動座部１２を利用して洗い場１５から浴槽２に移動する場合には、図１に示すように入浴者１３が洗い場１５側を向いて洗い場１５側に両脚を位置させた状態で回動座部１２上に臀部を載置して腰掛け、この後、浴槽壁１６を跨いで回動座部１２を臀部と共に矢印に示す方向に回動し、これにより浴槽２側を向くと共に浴槽２側に両脚を移動すれば良い。また浴槽２から洗い場１５に移動する場合には、入浴者１３が浴槽２側を向いて浴槽２側に両脚を位置させた状態で回動座部１２上に臀部を載置して腰掛け、この後、浴槽壁１６を跨いで回動座部１２を臀部と共に矢印に示す方向に回動し、これにより浴槽２側を向くと共に浴槽２側に両脚を移動すれば良く、いずれの場合も臀部を回動座部１２と共にターンしてスムーズ且つ容易に体の向きを変えることができる。また、回動座部１２は浴槽本体３の洗い場１５側に位置するフランジ４のコーナー部９の上面に設けているので、回動座部１２を洗い場１５に近い位置に配置できる。従って、洗い場１５に居る人は回動座部１２に容易に移動でき、また回動座部１２に座った人が洗い場側に容易に移動できる。また浴槽本体３内には背景技術の欄で示した昇降装置のような入浴者１３を支持するものを配置する必要がないので、浴槽本体４内の入浴スペースを確保できる。さらには浴槽壁１６を跨いで乗り越える入浴者１３にとって邪魔にならない位置に回動座部１２を配置できる。また、本例の浴室壁５ａには回動座部１２に座った人が把持可能な把持部１４（握りバー１４ａ）を設けているので、上記のように浴槽２から出入りする際に入浴者１３が把持部１４を把持して姿勢を安定させることができる。
【図面の簡単な説明】
【００１７】
【図１】本発明の実施の形態の一例の浴槽を備えた浴室内の斜視図である。
【符号の説明】
【００１８】
１  浴室
２  浴槽
３  浴槽本体
４  フランジ
９  コーナー部
１２  回動座部
１５  洗い場
【図１】
2008289813.tif 000003